(57)【要約】【課題】使用時における静電気の発生を防止でき、使用者の健康増進と共に、附属の電子機器への悪影響を防止し得る歩行運動機用走行ベルトを提供する。【解決手段】上層（３０）、下層（３１）及び少なくとも一つの中間層（３２，３３）を互いに一体的に接合して成る歩行運動機用走行ベルトにおいて；少なくとも上層（３０）の縦糸（４０）及び／又は横糸（４１）に混ぜて、互いに適宜の距離を隔ててそれぞれ縦糸（４０）及び／又は横糸（４１）と平行に導電性の金属線（４２，４２ａ〜４２ｃ）を織り込み、更に、必要に応じて、上層（３０）の上部にチャコール若しくはカーボンの材質層（３０１）を設け、これにより、走行ベルトの走行摩擦による静電気の発生を防止するよう構成したことを特徴とする。【選択図】図１
0003125909.tif 000002
【実用新案登録請求の範囲】
【請求項１】
上層（３０）、下層（３１）及び少なくとも一つの中間層（３２，３３）を互いに一体的に接合して成り、上層（３０）及び下層（３１）はＰＥＴ材質から成る縦糸（１０１）とＰＥＴ材質から成る横糸（１０２）とを互いに交差させた織物組織で構成され、中間層（３２，３３）はＰＶＣ材質で構成された歩行運動機用走行ベルトにおいて；
上記上層（３０）の縦糸（４０）に混ぜて、互いに適宜の距離を隔てて縦糸（４０）と平行に導電性の金属線（４２）を織り込み、これにより、走行ベルトの走行摩擦による静電気の発生を防止するよう構成したことを特徴とする歩行運動機用走行ベルト。
【請求項２】
上層（３０）、下層（３１）及び少なくとも一つの中間層（３２，３３）を互いに一体的に接合して成り、上層（３０）及び下層（３１）はＰＥＴ材質から成る縦糸（１０１）とＰＥＴ材質から成る横糸（１０２）とを互いに交差させた織物組織で構成され、中間層（３２，３３）はＰＶＣ材質で構成された歩行運動機用走行ベルトにおいて；
上記上層（３０）の横糸（４１）に混ぜて、互いに適宜の距離を隔てて横糸（４１）と平行に導電性の金属線を織り込み、これにより、走行ベルトの走行摩擦による静電気の発生を防止するよう構成したことを特徴とする歩行運動機用走行ベルト。
【請求項３】
上層（３０）、下層（３１）及び少なくとも一つの中間層（３２，３３）を互いに一体的に接合して成り、上層（３０）及び下層（３１）はＰＥＴ材質から成る縦糸（１０１）とＰＥＴ材質から成る横糸（１０２）とを互いに交差させた織物組織で構成され、中間層（３２，３３）はＰＶＣ材質で構成された歩行運動機用走行ベルトにおいて；
上記上層（３０）の縦糸（４０）及び横糸（４１）に混ぜて、互いに適宜の距離を隔ててそれぞれ縦糸（４０）及び横糸（４１）と平行に導電性の金属線を織り込み、これにより、走行ベルトの走行摩擦による静電気の発生を防止するよう構成したことを特徴とする歩行運動機用走行ベルト。
【請求項４】
上記下層（３１）の縦糸及び／又は横糸に混ぜて、互いに適宜の距離を隔ててそれぞれ縦糸及び／又は横糸と平行に導電性の金属線を織り込んだことを特徴とする請求項１ないし３のいずれか一項に記載の歩行運動機用走行ベルト。
【請求項５】
走行ベルトの上層（３０）の縦糸（４０）及び横糸（４１）を織り上げた後、その上部にチャコール若しくはカーボンの材質層（３０１）を設けたことを特徴とする請求項１ないし４のいずれか一項に記載の歩行運動機用走行ベルト。
【考案の詳細な説明】
【技術分野】
【０００１】
本考案は、歩行運動機用走行ベルトの構造の改良に関し、特に、上層、下層及び少なくとも一つの中間層を互いに一体的に接合して成り、上層及び下層は、ＰＥＴ材質から成る縦糸とＰＥＴ材質から成る横糸を互いに交差させた織物組織で構成され、少なくとも上層の縦糸及び／又は横糸に混ぜて、互いに適宜の距離を隔ててそれぞれ縦糸及び／又は横糸と平行に導電性の金属線を織り込んだこと、そして上層の縦糸及び横糸の上部にチャコール若しくはカーボンの材質層を設けたことを最大の特徴とし、これによって、走行ベルトが歩行板に対して高速摩擦運動をするときに走行ベルトに生じる静電気を効果的に除去し得るように構成したものである。
【背景技術】
【０００２】
歩行運動機の基本的な構成は、例えば下記特許文献１に記載されたもののように、機台上に使用者が立つことのできる歩行板が設けられ、当該歩行板の上面に自走式の走行ベルトが装着され、この走行ベルトが機台に設けた動力と伝動機構によって走行運転されるようになっている。そして、使用者はこの走行ベルト上を、ベルトの走行速度に遅れないように歩行運動するようになっている。
然しながら、このときの走行ベルトの走行移動に伴う摩擦により静電気が発生し易く、その影響で歩行運動機に備えられた電子機器の正確な作動が損なわれるという問題がある。
【０００３】
即ち、従来の歩行運動機用走行ベルト１の構造は、上層部材の底面を下層部材に一体的に接合して成るものであり、図７及び図８に示すように、その下層部材１０は強力なＰＥＴ（ポリエステル）材質から成る縦糸１０１と横糸１０２を交差させた平織形式の織物組織で構成されている。そのため、この種の走行ベルトは静電気の発生を有効に排除することができないという問題点があった。
【０００４】
【特許文献１】特開２００１−１７０２０５号公報
【考案の開示】
【考案が解決しようとする課題】
【０００５】
本考案は、上記の如き従来の歩行運動機用走行ベルトの問題点を解決するためなされたものであり、その目的とするところは、運転、使用時における静電気の発生を有効に防止でき、使用者の健康増進と共に、歩行運動機に備えられた電子機器に悪影響を及ぼすことのない歩行運動機用走行ベルトを提供することにある。
【課題を解決するための手段】
【０００６】
本考案の上記の目的は、
上層、下層及び少なくとも一つの中間層を互いに一体的に接合して成り、上層及び下層はＰＥＴ材質から成る縦糸とＰＥＴ材質から成る横糸とを互いに交差させた織物組織で構成され、中間層はＰＶＣ材質で構成された歩行運動機用走行ベルトにおいて；
上記上層の縦糸に混ぜて、互いに適宜の距離を隔てて縦糸と平行に導電性の金属線を織り込み、これにより、走行ベルトの走行摩擦による静電気の発生を防止するよう構成したことを特徴とする歩行運動機用走行ベルトによって達成できる。
【０００７】
或いはまた、上記上層の横糸に混ぜて、互いに適宜の距離を隔てて横糸と平行に導電性の金属線を織り込み、これにより、走行ベルトの走行摩擦による静電気の発生を防止するよう構成したことを特徴とする歩行運動機用走行ベルトによって達成できる。
【０００８】
更にまた、上記上層の縦糸及び横糸に混ぜて、互いに適宜の距離を隔ててそれぞれ縦糸及び横糸と平行に導電性の金属線を織り込み、これにより、走行ベルトの走行摩擦による静電気の発生を防止するよう構成したことを特徴とする歩行運動機用走行ベルトによっても達成できる。
【０００９】
上記のそれぞれの歩行運動機用走行ベルトにおいて、更に、下層の縦糸及び／又は横糸に混ぜて、互いに適宜の距離を隔ててそれぞれ縦糸及び／又は及び横糸と平行に導電性の金属線を織り込むことも推奨される。
【００１０】
更にまた、走行ベルトの上層の縦糸及び横糸を織り上げた後、その上部にチャコール若しくはカーボンの材質層を設けることも推奨される。
【考案の効果】
【００１１】
上記の如き構成を有する本考案に係る歩行運動機用走行ベルトによるときは、その内部に織り込まれた導電性の金属線が静電気を放電させるため、走行ベルトが帯電することがなく、また、上層の上部にチャコール若しくはカーボンの材質層を設けた場合には、当該材質層の導電作用により静電気の放電効果が一層高められる。そのため、使用者の健康増進と共に、歩行運動機に備えられた電子機器の作動が静電気によって悪影響を受けるのを効果的に防止することができる。
【考案を実施するための最良の形態】
【００１２】
以下、添付図面を参照しつつ本考案の具体的構造及びその作用効果について詳細に説明する。
図１は、本考案に係る歩行運動機用走行ベルトの縦糸、横糸及び金属線の織物構造を示す平面図、
図２は、図１に示した走行ベルトの側面説明図、
図３は、本考案に係る走行ベルトの断面説明図、
図４は、本考案に係る走行ベルトのもう一つの実施例を示す断面説明図、
図５は、本考案に係る走行ベルトの更にもう一つの実施例を示す断面説明図、
図６は、本考案に係る走行ベルトの更にもう一つの実施例を示す断面説明図、
図７は、従来の歩行運動機用走行ベルトの織物構造を示す平面図、
図８は、図７に示した従来の走行ベルトの側面説明図である。
【００１３】
本考案に係る歩行運動機用の改良された走行ベルトは、図３に示す如く、上層３０と、下層３１と、少なくとも一つの中間層３２、３３とを互いに一体的に接合して成るものである。
以下、図１ないし図６を参照して説明する。
本考案の走行ベルトの上層３０及び下層３１は、ＰＥＴ材質から成る縦糸４０と、ＰＥＴ材質から成る横糸４１とを互いに交差させた織物組織で構成されている。上層３０の縦糸４０に混ぜて、互いに適宜の距離を隔てて縦糸４０と平行に導電性の金属線４２を織り込んだことを特徴としている。
図１及び図２に示すように、複数本の金属線４２，４２ａ，４２ｂ，４２ｃは、複数本の縦糸４０を間において互いに所定の間隔を隔てて織り込まれている。
【００１４】
縦糸４０と横糸４１の織り方は、製造すべき走行ベルトの種類に応じて種々変更可能であり、例えば、図１ないし図３に示す如く、複数本の縦糸４０ごとに横糸４１を交互に上下させたり、或いは、図４ないし図６に示す如く、縦糸４０の１本ごとに横糸４１を交互に上下させたり、等々、多種多様な織り方が可能であるが、本考案の本質的な特徴は、縦糸４０若しくは横糸４１又はこれら双方に導電性の金属線４２を混ぜて織り込んだことにある。
【００１５】
図１〜図６の実施例では上層３０の縦糸４０に金属線を混ぜて織った例を示したが、本考案に係る走行ベルトの別の実施例においては、上層３０の横糸４１に混ぜて、横糸の複数本を隔てた所定間隔おきに横糸と平行に導電性の金属線４２を織り込んだ状態で、縦糸４０と横糸４１を互いに交差させて織物組織を構成することにより、走行ベルトの静電気を効果的に除去し得るようにするものである。
【００１６】
本考案に係る走行ベルトの更に別の実施例においては、下層３１の縦糸４０に混ぜて、縦糸の複数本を隔てた所定間隔おきに縦糸と平行に導電性の金属線４２を織り込んだり、或いはまた、下層３１の横糸４１に混ぜて、横糸の複数本を隔てた所定間隔おきに横糸と平行に導電性の金属線４２を織り込んだりしてもよく、これらの実施例はいずれも同等の作用効果を奏するものである。
【００１７】
更にまた、本考案に係る走行ベルトの別の実施例においては、上層３０及び下層３１の縦糸４０及び横糸４１の双方に金属線を混ぜて、縦糸又は横糸の複数本を隔てた所定間隔おきに縦糸又は横糸と平行にそれぞれ導電性の金属線４２を織り込んだ状態で、縦糸４０と横糸４１を互いに交差させて織物組織を構成することにより、走行ベルトの静電気を前記実施例に比べて一層効果的に除去し得るように構成するものである。
【００１８】
また、本考案の望ましい実施例においては、上層の縦糸及び横糸の上部にカーボンクロス等のチャコール若しくはカーボンの材質層３０１を設け、これにより、使用者の歩行運動中における静電気の発生を大幅に低減させ得るように構成するものである。
このように、静電気の発生を大幅に低減させることにより、使用者の健康効果と共に、歩行運動機に備えられた各種電子検知器等の作動が静電気によって悪影響を受けるのを防止することができる。
【００１９】
なお、本考案は上記実施例に限定されるものでなく、その目的の範囲内において上記の説明から当業者が容易に想到し得るすべての変更実施例を包摂するものである。
【産業上の利用可能性】
【００２０】
本考案は上記の如く構成されるから、本考案によるときは、走行ベルトの内部に織り込まれた導電性の金属線が、走行ベルトに生じる静電気を放電させるため、歩行運動機の使用中に走行ベルトが帯電するのを防止でき、更にまた、走行ベルトの上層の上部にチャコール若しくはカーボンの材質層３０１を設けることによって静電気の発生を一層効果的に防止でき、これにより、使用者の健康増進と共に、歩行運動機に備えられた電子機器の作動が静電気によって悪影響を受けるのを効果的に防止し得るものであるから、本考案は多大の実用的価値と産業上の利用可能性を有するものである。
【図面の簡単な説明】
【００２１】
【図１】本考案に係る歩行運動機用走行ベルトの縦糸、横糸及び金属線の織物構造を示す平面図である。
【図２】図１に示した走行ベルトの側面説明図である。
【図３】本考案に係る走行ベルトの断面説明図である。
【図４】本考案に係る走行ベルトのもう一つの実施例を示す断面説明図である。
【図５】本考案に係る走行ベルトの更にもう一つの実施例を示す断面説明図である。
【図６】本考案に係る走行ベルトの更にもう一つの実施例を示す断面説明図である。
【図７】従来の歩行運動機用走行ベルトの織物構造を示す平面図である。
【図８】図７に示した従来の走行ベルトの側面説明図である。
【符号の説明】
【００２２】
１        走行ベルト
１０１    縦糸
１０２    横糸
３０      上層
３０１    チャコール若しくはカーボンの材質層
３２，３３    中間層
３１      下層
４０      ＰＥＴ材質から成る縦糸
４１      ＰＥＴ材質から成る横糸
４２，４２ａ〜４２ｃ    金属線
【図１】
0003125909.tif 000003
【図２】
0003125909.tif 000004
【図３】
0003125909.tif 000005
【図４】
0003125909.tif 000006
【図５】
0003125909.tif 000007
【図６】
0003125909.tif 000008
【図７】
0003125909.tif 000009
【図８】
0003125909.tif 000010